(57)【要約】【課題】予約した放送番組の視聴をより確実に行うことができるテレビジョン放送受像機を提供する。【解決手段】テレビジョン放送受像機１００において、チャンネル切替無効手段（例えば、ＣＰＵ１０１等）により、予約処理手段（例えば、ＣＰＵ１０１等）の実行中に、操作入力部による選局のための入力操作を無効とする。また、チャンネル切替制限手段（例えば、ＣＰＵ１０１等）により、予約処理手段（例えば、ＣＰＵ１０１等）の実行中に操作入力部により選局のための入力操作がなされた場合に、選局処理手段（例えば、ＣＰＵ１０１等）により当該選局された放送チャンネルの放送信号の映像／音声信号処理を行うとともに、所定時間経過後、予約処理手段（例えば、ＣＰＵ１０１等）により予約された放送番組に対応する放送チャンネルの放送信号の映像／音声信号処理を行う。【選択図】図２
2007081660.tif 000002
【特許請求の範囲】
【請求項１】
放送に関する放送信号を受信するテレビジョン放送受像機において、
放送チャンネルの選局を行うための入力操作を行う操作入力部と、
放送番組を予約する予約手段と、
前記操作入力部により選局された放送チャンネルの放送信号を映像／音声信号処理する選局処理手段と、
前記予約手段により予約された放送番組の開始時間となった際に、前記予約手段により予約された放送番組に対応する放送チャンネルの放送信号を映像／音声信号処理する予約処理手段と、
前記選局処理手段及び予約処理手段により処理された映像／音声信号に基づく映像／音声を出力する出力部と、
前記予約処理手段の実行中、前記操作入力部による選局のための入力操作を無効とするチャンネル切替無効手段と、
前記チャンネル切替無効手段により入力操作が無効とされた状態で、前記操作入力部により所定の入力操作がなされたときに、前記チャンネル切替無効手段による入力操作の無効を解除する無効解除手段と、
前記予約処理手段の実行中に前記操作入力部により選局のための入力操作がなされた場合に、前記選局処理手段に当該選局された放送チャンネルの放送信号の映像／音声信号処理を実行させるとともに、所定時間経過後、前記予約処理手段に予約された放送番組に対応する放送チャンネルの放送信号の映像／音声信号処理を実行させる制御を行うチャンネル切替制限手段と、
前記チャンネル切替制限手段により入力操作が制限された状態で、前記操作入力部により所定の入力操作がなされたときに、前記チャンネル切替制限手段による入力操作の制限を解除する制限解除手段と、
前記チャンネル切替無効手段と前記チャンネル切替制限手段のいずれを実行するかを選択する選択手段と、
を備えることを特徴とするテレビジョン放送受像機。
【請求項２】
放送に関する放送信号を受信するテレビジョン放送受像機において、
放送チャンネルの選局を行うための入力操作を行う操作入力部と、
放送番組を予約する予約手段と、
前記操作入力部により選局された放送チャンネルの放送信号を映像／音声信号処理する選局処理手段と、
前記予約手段により予約された放送番組の開始時間となった際に、前記予約手段により予約された放送番組に対応する放送チャンネルの放送信号を映像／音声信号処理する予約処理手段と、
前記選局処理手段又は予約処理手段により処理された映像／音声信号に基づく映像／音声を出力する出力部と、
前記予約処理手段の実行中、前記操作入力部による選局のための入力操作を無効とするチャンネル切替無効手段と、
を備えることを特徴とするテレビジョン放送受像機。
【請求項３】
前記チャンネル切替無効手段により入力操作が無効とされた状態で、前記操作入力部により所定の入力操作がなされたときに、前記チャンネル切替無効手段による入力操作の無効を解除する無効解除手段を備えることを特徴とする請求項２に記載のテレビジョン放送受像機。
【請求項４】
放送に関する放送信号を受信するテレビジョン放送受像機において、
放送チャンネルの選局を行うための入力操作を行う操作入力部と、
放送番組を予約する予約手段と、
前記操作入力部により選局された放送チャンネルの放送信号を映像／音声信号処理する選局処理手段と、
前記予約手段により予約された放送番組の開始時間となった際に、前記予約手段により予約された放送番組に対応する放送チャンネルの放送信号を映像／音声信号処理する予約処理手段と、
前記選局処理手段又は予約処理手段により処理された映像／音声信号に基づく映像／音声を出力する出力部と、
前記予約処理手段の実行中に前記操作入力部により選局のための入力操作がなされた場合に、前記選局処理手段に当該選局された放送チャンネルの放送信号の映像／音声信号処理を実行させるとともに、所定時間経過後、前記予約処理手段に予約された放送番組に対応する放送チャンネルの放送信号の映像／音声信号処理を実行させる制御を行うチャンネル切替制限手段と、
を備えることを特徴とするテレビジョン放送受像機。
【請求項５】
前記チャンネル切替制限手段により入力操作が制限された状態で、前記操作入力部により所定の入力操作がなされたときに、前記チャンネル切替制限手段による入力操作の制限を解除する制限解除手段を備えることを特徴とする請求項４に記載のテレビジョン放送受像機。
【発明の詳細な説明】
【技術分野】
【０００１】
本発明は、放送信号を受信するテレビジョン放送受像機に関する。
【背景技術】
【０００２】
従来、テレビジョン放送を受信する放送受信装置において、視聴予約が登録されている場合、予約実行の所定時間前に予約時間を示す通知が行われ、予約時間になると予約されたサービスの選局が開始される技術が開示されている（例えば、特許文献１参照）。
【０００３】
また、記憶された番組予約データの番組の開始時刻に到達した場合には、自動的に選局装置の電源が投入されると共に、番組予約がされた番組に基づく伝送チャンネルが選局される技術が開示されている（例えば、特許文献２参照）。  
【特許文献１】特開２００５−１３６７１３号公報
【特許文献２】特開平１０−０２８２４３号公報
【発明の開示】
【発明が解決しようとする課題】
【０００４】
しかしながら、特許文献１、２に開示された技術では、一旦予約された放送番組への切替が行われた後は、何ら制限なく自由に放送番組を変更することが可能であるため、例えば、番組予約したユーザ以外の者が勝手に放送番組を変更してしまって、必ずしも、番組予約したユーザが予約した放送番組を視聴できないといった問題があった。
【０００５】
本発明の課題は、予約した放送番組の視聴をより確実に行うことができるテレビジョン放送受像機を提供することである。
【課題を解決するための手段】
【０００６】
上記課題を解決するため、請求項１に記載の発明は、放送に関する放送信号を受信するテレビジョン放送受像機において、
放送チャンネルの選局を行うための入力操作を行う操作入力部と、
放送番組を予約する予約手段と、
前記操作入力部により選局された放送チャンネルの放送信号を映像／音声信号処理する選局処理手段と、
前記予約手段により予約された放送番組の開始時間となった際に、前記予約手段により予約された放送番組に対応する放送チャンネルの放送信号を映像／音声信号処理する予約処理手段と、
前記選局処理手段及び予約処理手段により処理された映像／音声信号に基づく映像／音声を出力する出力部と、
前記予約処理手段の実行中、前記操作入力部による選局のための入力操作を無効とするチャンネル切替無効手段と、
前記チャンネル切替無効手段により入力操作が無効とされた状態で、前記操作入力部により所定の入力操作がなされたときに、前記チャンネル切替無効手段による入力操作の無効を解除する無効解除手段と、
前記予約処理手段の実行中に前記操作入力部により選局のための入力操作がなされた場合に、前記選局処理手段に当該選局された放送チャンネルの放送信号の映像／音声信号処理を実行させるとともに、所定時間経過後、前記予約処理手段に予約された放送番組に対応する放送チャンネルの放送信号の映像／音声信号処理を実行させる制御を行うチャンネル切替制限手段と、
前記チャンネル切替制限手段により入力操作が制限された状態で、前記操作入力部により所定の入力操作がなされたときに、前記チャンネル切替制限手段による入力操作の制限
を解除する制限解除手段と、
前記チャンネル切替無効手段と前記チャンネル切替制限手段のいずれを実行するかを選択する選択手段と、
を備えることを特徴とする。
【０００７】
請求項２に記載の発明は、放送に関する放送信号を受信するテレビジョン放送受像機において、
放送チャンネルの選局を行うための入力操作を行う操作入力部と、
放送番組を予約する予約手段と、
前記操作入力部により選局された放送チャンネルの放送信号を映像／音声信号処理する選局処理手段と、
前記予約手段により予約された放送番組の開始時間となった際に、前記予約手段により予約された放送番組に対応する放送チャンネルの放送信号を映像／音声信号処理する予約処理手段と、
前記選局処理手段又は予約処理手段により処理された映像／音声信号に基づく映像／音声を出力する出力部と、
前記予約処理手段の実行中、前記操作入力部による選局のための入力操作を無効とするチャンネル切替無効手段と、
を備えることを特徴とする。
【０００８】
請求項３に記載の発明は、請求項２に記載の発明において、前記チャンネル切替無効手段により入力操作が無効とされた状態で、前記操作入力部により所定の入力操作がなされたときに、前記チャンネル切替無効手段による入力操作の無効を解除する無効解除手段を備えることを特徴とする。
【０００９】
請求項４に記載の発明は、放送に関する放送信号を受信するテレビジョン放送受像機において、
放送チャンネルの選局を行うための入力操作を行う操作入力部と、
放送番組を予約する予約手段と、
前記操作入力部により選局された放送チャンネルの放送信号を映像／音声信号処理する選局処理手段と、
前記予約手段により予約された放送番組の開始時間となった際に、前記予約手段により予約された放送番組に対応する放送チャンネルの放送信号を映像／音声信号処理する予約処理手段と、
前記選局処理手段又は予約処理手段により処理された映像／音声信号に基づく映像／音声を出力する出力部と、
前記予約処理手段の実行中に前記操作入力部により選局のための入力操作がなされた場合に、前記選局処理手段に当該選局された放送チャンネルの放送信号の映像／音声信号処理を実行させるとともに、所定時間経過後、前記予約処理手段に予約された放送番組に対応する放送チャンネルの放送信号の映像／音声信号処理を実行させる制御を行うチャンネル切替制限手段と、
を備えることを特徴とする。
【００１０】
請求項５に記載の発明は、請求項４に記載の発明において、前記チャンネル切替制限手段により入力操作が制限された状態で、前記操作入力部により所定の入力操作がなされたときに、前記チャンネル切替制限手段による入力操作の制限を解除する制限解除手段を備えることを特徴とする。
【発明の効果】
【００１１】
請求項１に記載の発明によれば、チャンネル切替無効手段により、予約処理手段の実行
中において操作入力部による選局のための入力操作が無効とされるので、予約された放送番組の放送中は、予約された放送番組以外の放送番組の視聴ができないこととなって、ユーザは予約した放送番組の視聴をより確実に行うことができる。
【００１２】
また、チャンネル切替制限手段により、予約処理手段の実行中において操作入力部による選局のための入力操作がなされた場合に、選局処理手段により当該選局された放送チャンネルの放送信号の映像／音声信号処理が行われ、所定時間経過後に、予約処理手段により予約された放送番組に対応する放送チャンネルの放送信号の映像／音声信号処理が行われるので、予約された放送番組の放送中は、予約された放送番組以外の放送番組の視聴が制限されることとなって、ユーザは予約した放送番組の視聴をより確実に行うことができる。
【００１３】
また、無効解除手段及び制限解除手段によりチャンネル切替無効手段及びチャンネル切替制限手段を解除することができ、さらに、選択手段によりチャンネル切替無効手段とチャンネル切替制限手段のいずれを実行するかを選択することができるので、ユーザにとって使い勝手の良いテレビジョン放送受像機を提供することができる。  
【００１４】
請求項２に記載の発明によれば、チャンネル切替無効手段により、予約処理手段の実行中において操作入力部による選局のための入力操作が無効とされるので、予約された放送番組の放送中は、予約された放送番組以外の放送番組の視聴ができないこととなって、ユーザは予約した放送番組の視聴をより確実に行うことができる。
【００１５】
請求項３に記載の発明によれば、請求項２に記載の発明の効果が得られるのは無論のこと、無効解除手段によりチャンネル切替無効手段を解除することができるので、ユーザにとって使い勝手の良いテレビジョン放送受像機を提供することができる。
【００１６】
請求項４に記載の発明によれば、チャンネル切替制限手段により、予約処理手段の実行中において操作入力部による選局のための入力操作がなされた場合に、選局処理手段により当該選局された放送チャンネルの放送信号の映像／音声信号処理が行われ、所定時間経過後に、予約処理手段により予約された放送番組に対応する放送チャンネルの放送信号の映像／音声信号処理が行われるので、予約された放送番組の放送中は、予約された放送番組以外の放送番組の視聴が制限されることとなって、ユーザは予約した放送番組の視聴をより確実に行うことができる。
【００１７】
請求項５に記載の発明によれば、請求項４に記載の発明の効果が得られるのは無論のこと、制限解除手段によりチャンネル切替制限手段を解除することができるので、ユーザにとって使い勝手の良いテレビジョン放送受像機を提供することができる。  
【発明を実施するための最良の形態】
【００１８】
以下、本発明の実施の形態を、図面を参照して詳細に説明する。
【００１９】
まず、装置全体の構成を、図１を参照しながら説明する。
【００２０】
本実施形態のテレビジョン放送受像機（以下、放送受像機という。）１００は、例えば、図１に示すように、放送信号を受信し、受信された放送信号に基づく映像や音声を出力する受像機本体１と、ユーザが遠隔操作によって各種指示を入力するためのリモートコントロール装置（以下、リモコンという。）２０と、を備えている。
【００２１】
受像機本体１の前面パネル１ａにはユーザが各種指示を入力するための各種キーを備えたキー入力部２が設けられている。具体的には、キー入力部２は、例えば、放送受像機１００の電源をオン／オフするためのＰＯＷＥＲキー２ａと、音量を調節するためのボリュームアップ／ダウンキー２ｂと、チャンネルを選局するためのチャンネルアップ／ダウンキー２ｃと、等を備え、操作入力部として機能する。
【００２２】
リモコン２０は、例えば、放送受像機１００の電源をオン／オフするためのＰＯＷＥＲキー２０ａと、音量を調節するためのボリュームアップ／ダウンキー２０ｂと、放送チャンネルを選局するためのチャンネルアップ／ダウンキー２０ｃと、放送チャンネルの番号や放送番組の予約のための予約情報等を入力するためのテンキー２０ｄと、放送番組の予約を行う予約登録画面における各種操作を行うための予約キー２０ｅと、予約された放送番組の解除を行う予約解除画面における各種操作を行うための予約解除キー２０ｆと、予約登録画面及び予約解除画面等においてユーザによる入力を決定するための決定キー２０ｇと、予約登録画面及び予約解除画面等においてユーザによる入力を消去するためのクリアキー２０ｈと、等を備え、キー入力部２とともに操作入力部として機能する。
【００２３】
受像機本体１は、図２に示すように、放送信号を受信するアンテナ３と、アンテナ３と接続され、アンテナ３により受信された放送信号から選局を行うチューナ４と、チューナ４により選局された放送信号を復調する復調器５と、復調器５により復調された放送信号を、音声・映像ごとに復号処理するデコーダ６と、デコーダ６から入力された映像データにＯＳＤ（On Screen Display）データを付加するＯＳＤ付加回路７と、デコーダ６から
入力された音声データに応じて音声を出力する出力部としての音声出力部８と、デコーダ６からＯＳＤ付加回路７を介して入力された映像データに応じて映像を出力する出力部としての映像出力部９と、リモコン２０からの入力操作信号を受信して制御部１０に入力するリモコン信号受光部１１と、放送受像機１００全体を統括制御する制御部１０と、等から構成される。
【００２４】
アンテナ３は、屋外に配置され、例えば、テレビジョン放送局から発信される高周波（ＲＦ）の放送信号を受信する。
【００２５】
チューナ４は、アンテナ３によって受信された放送信号の供給を受けると共に、制御部１０からの放送チャンネルの選局に関する指示入力に応じて選局処理を行い、選局された放送チャンネルに対応する特定周波数帯域に存在する放送信号を受信し、当該受信した放送信号を中間周波信号（ＩＦ信号）に変換して復調器５に出力する。
【００２６】
復調器５は、例えば、制御部１０からの指示に従って、チューナ４から出力されたＩＦ信号に対してデジタル復調や誤り訂正などの処理を実行し、ストリーム（例えば、トランスポートストリーム：ＴＳ）を出力する。
【００２７】
デコーダ６は、例えば、図示は省略するが、ＴＳデコーダ、音声デコーダ、映像デコーダ等を備え、ＴＳデコーダは、復調器５から入力されたＴＳから、音声信号、映像信号等を分離し、分離した音声データを音声デコーダに、映像信号を映像デコーダにそれぞれ出力する。音声デコーダは、ＴＳデコーダから入力された音声信号を復号して、復号化された音声データを音声出力部８に出力する。映像デコーダは、ＴＳデコーダから入力された映像信号を復号して、復号化された映像データを映像出力部９にＯＳＤ付加回路７を介して出力する。
【００２８】
ＯＳＤ付加回路７は、制御部１０からの指示出力に応じて、ＯＳＤデータをデコーダ６から入力された映像データに合成して映像出力部９に出力する。
【００２９】
音声出力部８は、例えば、スピーカ８ａ等を備え、デコーダ６から入力された音声データに基づく音声を出力する。
【００３０】
映像出力部９は、例えば、ＬＣＤ（Liquid Crystal Display）、ＰＤＰ（Plasma Display Panel）等の表示画面９ａ等を備え、デコーダ６から入力された映像データに基づく映像を表示する。
【００３１】
リモコン信号受光部１１は、リモコン２０に備わる各種キーの押下操作により送信され
た入力操作信号としての信号光を受信し、これを電気信号に変換して制御部１０に入力する。
【００３２】
制御部１０は、ＣＰＵ（Central Processing Unit）１０１と、ＲＯＭ（Read Only Memory）１０２と、メモリ部１０３と、計時部１０４と、入力ポート１０５と、出力ポート
１０６と、等を備えている。
【００３３】
ＣＰＵ１０１は、ユーザによるキー入力部２及びリモコン２０の各種キーの押下操作等によって、入力ポート１０５から入力された入力操作信号に応じて、ＲＯＭ１０２に格納された各種プログラムを実行し、出力ポート１０６を介して各部に出力信号を出力することによって、放送受像機１００の動作全般を統括制御する。
【００３４】
ＲＯＭ１０２は、ＣＰＵ１０１によって実行される各種データ処理プログラムの他、データ処理プログラムに係る各種初期設定値等のデータを格納する。具体的には、ＲＯＭ１０２には、選局処理制御プログラム１０２ａと、予約設定制御プログラム１０２ｂと、予約処理制御プログラム１０２ｃと、チャンネル切替無効制御プログラム１０２ｄと、チャンネル切替制限制御プログラム１０２ｅと、予約解除制御プログラム１０２ｆと、等が格納されている。
【００３５】
選局処理制御プログラム１０２ａは、例えば、ＣＰＵ１０１に、キー入力部２及びリモコン２０の各種キーの押下操作に基づいてリモコン信号受光部１１を介して制御部１０に入力された入力操作信号に応じて、チューナ４により選局された放送チャンネルの放送信号を、復調器５により復調させ、更に、デコーダ６により映像／音声信号処理させて映像データ、音声データとし、当該映像データを映像出力部９から出力させるとともに、音声データを音声出力部８から出力させる機能を実現させるプログラムである。
【００３６】
ＣＰＵ１０１は、かかる選局処理制御プログラム１０２ａを実行することにより、チューナ４、復調器５、デコーダ６とともに、選局処理手段として機能する。
【００３７】
予約設定制御プログラム１０２ｂは、例えば、ＣＰＵ１０１に、リモコン２０に備わる予約キー２０ｅの押下操作に基づいてリモコン信号受光部１１を介して制御部１０に入力された入力操作信号に応じて、映像出力部９の表示画面９ａに予約登録画面を表示させ、当該予約登録画面に基づいて入力された予約情報をメモリ部１０３に記憶させ、これにより放送番組の予約を設定させる機能を実現させるプログラムである。さらに、予約設定制御プログラム１０２ｂは、予約登録画面における放送番組の予約に際して、後述するチャンネル切替無効制御プログラム１０２ｄの実行による無効モードと、チャンネル切替制限制御プログラム１０２ｅの実行による制限モードとのいずれを設定するかをユーザに選択させ、選択された無効モード或いは制限モードを、メモリ部１０３に記憶させる機能を実現させるプログラムである。
【００３８】
ＣＰＵ１０１は、かかる予約設定制御プログラム１０２ｂを実行することにより予約手段及び選択手段として機能する。
【００３９】
予約処理制御プログラム１０２ｃは、例えば、予約設定制御プログラム１０２ｂの実行により放送番組の予約が設定されている場合に、ＣＰＵ１０１に、メモリ部１０３に記憶された当該予約された放送番組に係る予約情報に基づいて、予約された放送番組に対応する放送チャンネルの放送信号をチューナ４により選局させ、選局された放送信号を復調器５により復調させ、更に、デコーダ６により映像／音声信号処理させて映像データ、音声データとし、当該映像データを映像出力部９から出力させるとともに、当該音声データを音声出力部８から出力させる機能を実現させるプログラムである。
【００４０】
また、予約処理制御プログラム１０２ｃは、ＣＰＵ１０１に、予約された放送番組である旨の表示を表示画面９ａに表示させるためのＯＳＤデータを、ＯＳＤ付加回路７により
デコーダ６から出力された映像データに合成させ、放送開始時より一定の時間、映像出力部９に出力させる機能を実現させる。
【００４１】
ＣＰＵ１０１は、かかる予約処理制御プログラム１０２ｃを実行することにより、チューナ４、復調器５、デコーダ６とともに、予約処理手段として機能する。
【００４２】
チャンネル切替無効制御プログラム１０２ｄは、例えば、予約設定制御プログラム１０２ｂの実行により無効モードが選択された場合に、ＣＰＵ１０１に、予約処理制御プログラム１０２ｃの実行中に、キー入力部２のチャンネルアップ／ダウンキー２ｃ及びリモコン２０のチャンネルアップ／ダウンキー２０ｃによる放送チャンネルの選局のための入力操作を無効とさせる機能を実現させるプログラムである。
【００４３】
ＣＰＵ１０１は、かかるチャンネル切替無効制御プログラム１０２ｄを実行することにより、チャンネル切替無効手段として機能する。
【００４４】
チャンネル切替制限制御プログラム１０２ｅは、例えば、予約設定制御プログラム１０２ｂの実行により制限モードが選択された場合に、ＣＰＵ１０１に、予約処理制御プログラム１０２ｃの実行中に、キー入力部２又はリモコン２０により放送チャンネルの選局のための入力操作がなされた場合に、当該選局された放送チャンネルの放送信号を復調器５及びデコーダ６により映像／音声信号処理させて映像出力部９及び音声出力部８から出力させるとともに、所定時間（例えば、１分間）経過後に、予約された放送番組に対応する放送チャンネルの放送信号を復調器５及びデコーダ６により映像／音声信号処理させて映像出力部９及び音声出力部８から出力させる機能を実現させるプログラムである。
【００４５】
ＣＰＵ１０１は、かかるチャンネル切替制限制御プログラム１０２ｅを実行することにより、チャンネル切替制御手段として機能する。
【００４６】
予約解除制御プログラム１０２ｆは、例えば、ＣＰＵ１０１に、リモコン２０に備わる予約キー２０ｅの押下操作に基づいてリモコン信号受光部１１を介して制御部１０に入力された入力操作信号に応じて、放送番組の予約を解除させる機能を実現させるプログラムである。また、予約解除制御プログラム１０２ｆは、放送番組の予約の解除に際して映像出力部９の表示画面９ａに表示される予約解除画面において、暗証番号の入力をユーザに要求し、当該入力された番号と予めメモリ部１０３に格納された暗証番号とが一致している場合にのみ、予約を解除させる。
【００４７】
ＣＰＵ１０１は、かかる予約解除制御プログラム１０２ｆを実行することにより無効解除手段及び制限解除手段として機能する。
【００４８】
メモリ部１０３は、ＲＡＭ（Random Access Memory）や、ＥＰＲＯＭ（Erasable Programmable ROM）、フラッシュメモリ等の不揮発性メモリを備えており、入力されたデータ
、ＲＯＭ１０２に格納されるプログラムが実行される際に生ずる処理結果等を記憶する。
【００４９】
具体的には、メモリ部１０３には、予約設定制御プログラム１０２ｂの実行により設定され、予約された放送番組にかかる予約情報を記憶する予約情報格納部１０３１や、予約解除制御プログラム１０２ｆの実行による放送番組の予約の解除に際して映像出力部９の表示画面９ａに表示される予約解除画面において、入力が要求される暗証番号データ１０３２が格納されている。
【００５０】
予約情報格納部１０３１は、予約設定制御プログラム１０２ｂの実行により入力された予約情報を格納する予約テーブル１０３１ａを備えている。具体的には、当該予約テーブル１０３１ａには、予約された放送番組を特定するための予約情報として、例えば、図３に示すように、予約された放送番組の放送日、放送開始時刻、放送終了時刻、放送チャンネル、放送番組名等のデータ等が、選択された無効モード或いは制限モードのいずれかと対応付けられて格納されている。
【００５１】
計時部１０４は、例えば、水晶時計を内蔵しており、ＣＰＵ１０１により、かかる計時部１０４により計時される現在時刻データが適宜取得される。
【００５２】
次に、ＣＰＵ１０１が、予約設定制御プログラム１０２ｂを実行することにより行われる予約設定動作処理を、図４を参照しながら説明する。
【００５３】
本実施形態においては、予約設定制御プログラム１０２ｂの実行に際して、ユーザにより、チャンネル切替無効制御プログラム１０２ｄを実行させる無効モード或いはチャンネル切替制限制御プログラム１０２ｅを実行させる制限モードが選択される。
【００５４】
ステップＳ１において、ＣＰＵ１０１は、リモコン２０の予約キー２０ｅが押下されたことを検出すると、映像出力部９の表示画面９ａに予約登録画面を表示させる（ステップＳ２）。次に、ＣＰＵ１０１は、当該予約登録画面に基づいて、ユーザによりリモコン２０の各種キーが押下操作されて予約情報が入力され（ステップＳ３）、さらに無効モード或いは制限モードが選択されると（ステップＳ４）、入力された予約情報を予約情報格納部１０３１の予約テーブル１０３１ａに、選択された無効モード或いは制限モードと対応付けて格納して（ステップＳ５）、放送番組の予約を設定し、本処理を終了する。
【００５５】
次に、予約設定制御プログラム１０２ｂの実行により、無効モードが選択された場合に、ＣＰＵ１０１によって行われる予約制御動作処理を、図５を参照しながら説明する。本予約制御動作処理は、ＣＰＵ１０１が、予約処理制御プログラム１０２ｃ、チャンネル切替無効制御プログラム１０２ｄ及び予約解除制御プログラム１０２ｆを実行することにより行われる。
【００５６】
まず、ＣＰＵ１０１は、計時部１０４により計時される現在時刻が、予約された放送番組の放送開始時刻であるか否かを判断する（ステップＳ１１）。ＣＰＵ１０１は、現在時刻が、予約された放送番組の放送開始時刻であると判断すると（ステップＳ１１；ＹＥＳ）、予約された放送番組に対応する放送チャンネルの放送信号の復調及びデコード処理を開始させる（ステップＳ１２）。さらに、ＣＰＵ１０１は、復調及びデコード処理中の放送信号に基づく放送番組が予約された放送番組である旨の通知を表示させるためのＯＳＤデータをＯＳＤ付加回路７により映像データに付加させて映像出力部９に出力し、所定時間、当該通知を映像出力部９の表示画面９ａに表示させる（ステップＳ１３）。次に、ＣＰＵ１０１は、キー入力部２又はリモコン２０のキーの押下が検出されたか否かを判断する（ステップＳ１４）。ステップＳ１４において、ＣＰＵ１０１は、ユーザによりキーが押下されて入力操作信号が制御部１０に入力されて、キーの押下が有ると判断すると（ステップＳ１４；ＹＥＳ）、続いて、押下されたキーがチャンネルアップ／ダウンキー２ｃ、２０ｃであるか否かを判断する（ステップＳ１５）。ＣＰＵ１０１は、押下されたキーがチャンネルアップ／ダウンキー２ｃ、２０ｃであると判断すると（ステップＳ１５；ＹＥＳ）、チャンネルの切替を無効とし（ステップＳ１６）、ステップＳ１４の処理に戻る。
【００５７】
ステップＳ１５において、ＣＰＵ１０１は、押下されたキーがチャンネルアップ／ダウンキー２ｃ、２０ｃでないと判断すると（ステップＳ１５；ＮＯ）、次に、押下されたキーが予約解除キー２０ｆであるか否かを判断する（ステップＳ１７）。ＣＰＵ１０１は、押下されたキーが予約解除キー２０ｆでないと判断すると（ステップＳ１７；ＮＯ）、押下されたキーに応じた処理を実行し（ステップＳ１８）、ステップＳ１４の処理に戻る。
【００５８】
ＣＰＵ１０１は、ステップＳ１７において、押下されたキーが予約解除キー２０ｆであると判断すると（ステップＳ１７；ＹＥＳ）、映像出力部９の表示画面９ａに予約解除画面を表示させる（ステップＳ１９）。次に、ＣＰＵ１０１は、当該予約解除画面に基づいて、ユーザによりリモコン２０に備わるテンキー２０ｄが押下操作されて暗証番号が入力されると（ステップＳ２０）、当該入力された暗証番号が、予めメモリ部１０３に格納された暗証番号と一致するか否かを判断する（ステップＳ２１）。一致すると判断した場合には（ステップＳ２１；ＹＥＳ）、ＣＰＵ１０１は、設定された放送番組の予約の解除及び無効モードの解除を行い（ステップＳ２２）、本処理を終了する。ＣＰＵ１０１は、ス
テップＳ２１において、一致しないと判断した場合には（ステップＳ２１；ＮＯ）、ステップＳ１４の処理に戻る。
【００５９】
ステップＳ１４において、ＣＰＵ１０１は、キーの押下が無いと判断すると、予約された放送番組の放送終了時刻であるか否かを判断し（ステップＳ２３）、放送終了時刻であると判断すると（ステップＳ２３；ＹＥＳ）、予約された放送番組の復調・デコード処理を終了させ（ステップＳ２４）、併せて無効モードを解除して、本処理を終了する。
【００６０】
次に、予約設定制御プログラム１０２ｂの実行により、制限モードが選択された場合に、ＣＰＵ１０１によって行われる予約制御動作処理を、図６を参照しながら説明する。本予約制御動作処理は、ＣＰＵ１０１が、予約処理制御プログラム１０２ｃ、チャンネル切替制限制御プログラム１０２ｅ及び予約解除制御プログラム１０２ｆを実行することにより行われる。
【００６１】
まず、ＣＰＵ１０１は、計時部１０４により計時される現在時刻が、予約された放送番組の放送開始時刻であるか否かを判断する（ステップＳ３１）。ＣＰＵ１０１は、現在時刻が、予約された放送番組の放送開始時刻であると判断すると（ステップＳ３１；ＹＥＳ）、予約された放送番組に対応する放送チャンネルの放送信号の復調及びデコード処理を開始させる（ステップＳ３２）。さらに、ＣＰＵ１０１は、復調及びデコード処理中の放送信号に基づく放送番組が予約された放送番組である旨の通知を表示させるためのＯＳＤデータをＯＳＤ付加回路７により映像データに付加させて映像出力部９に出力し、所定時間、当該通知を映像出力部９の表示画面９ａに表示させる（ステップＳ３３）。次に、ＣＰＵ１０１は、キー入力部２又はリモコン２０のキーの押下が検出されたか否かを判断する（ステップＳ３４）。ステップＳ３４において、ＣＰＵ１０１は、ユーザによりキーが押下されて入力操作信号が制御部１０に入力されて、キーの押下が有ると判断すると（ステップＳ３４；ＹＥＳ）、続いて、押下されたキーがチャンネルアップ／ダウンキー２ｃ、２０ｃであるか否かを判断する（ステップＳ３５）。ＣＰＵ１０１は、押下されたキーがチャンネルアップ／ダウンキー２ｃ、２０ｃであると判断すると（ステップＳ３５；ＹＥＳ）、チャンネルアップ／ダウンキー２ｃ、２０ｃの押下により制御部１０に入力された入力操作信号に応じて、選局された放送チャンネルの放送信号の復調及びデコード処理を開始させる（ステップＳ３６）。さらに、ＣＰＵ１０１は、選局された放送チャンネルの放送信号の復調及びデコード処理開始後、所定時間（例えば、一分間）が経過すると（ステップＳ３７）、予約された放送番組に対応する放送チャンネルの放送信号の復調及びデコード処理を開始させる（ステップＳ３８）。次に、ＣＰＵ１０１は、予約された放送番組の放送終了時刻であるか否かを判断し（ステップＳ３９）、放送終了時刻であると判断すると（ステップＳ３９；ＹＥＳ）、予約された放送番組の復調・デコード処理を終了させ（ステップＳ４０）、併せて無効モードを解除して、本処理を終了する。
【００６２】
ステップＳ３５において、ＣＰＵ１０１は、押下されたキーがチャンネルアップ／ダウンキー２ｃ、２０ｃでないと判断すると（ステップＳ３５；ＮＯ）、次に、押下されたキーが予約解除キー２０ｆであるか否かを判断する（ステップＳ４１）。ＣＰＵ１０１は、押下されたキーが予約解除キー２０ｆでないと判断すると（ステップＳ４１；ＮＯ）、押下されたキーに応じた処理を実行し（ステップＳ４２）、ステップＳ３４の処理に戻る。
【００６３】
ＣＰＵ１０１は、ステップＳ４１において、押下されたキーが予約解除キー２０ｆであると判断すると（ステップＳ４１；ＹＥＳ）、映像出力部９の表示画面９ａに予約解除画面を表示させる（ステップＳ４３）。次に、ＣＰＵ１０１は、当該予約解除画面に基づいて、ユーザによりリモコン２０に備わるテンキー２０ｄが押下操作されて暗証番号が入力されると（ステップＳ４４）、当該入力された暗証番号が、予めメモリ部１０３に格納された暗証番号と一致するか否かを判断する（ステップＳ４５）。一致すると判断した場合には（ステップＳ４５；ＹＥＳ）、ＣＰＵ１０１は、設定された放送番組の予約の解除及び制限モードの解除を行い（ステップＳ４６）、本処理を終了する。ＣＰＵ１０１は、ステップＳ４５において、一致しないと判断した場合には（ステップＳ４５；ＮＯ）、ステ
ップＳ３４の処理に戻る。
【００６４】
以上説明した本発明にかかるテレビジョン放送受像機１００によれば、ＣＰＵ１０１によるチャンネル切替無効制御プログラム１０２ｄの実行により、予約処理制御プログラム１０２ｃの実行中においてキー入力部２或いはリモコン２０による選局のための入力操作が無効とされるので、予約された放送番組の放送中は、予約された放送番組以外の放送番組の視聴ができないこととなって、ユーザは予約した放送番組の視聴をより確実に行うことができる。
【００６５】
また、ＣＰＵ１０１によるチャンネル切替制限制御プログラム１０２ｅの実行により、予約処理制御プログラム１０２ｃの実行中においてキー入力部２或いはリモコン２０による選局のための入力操作がなされた場合に、選局処理制御プログラム１０２ａの実行により当該選局された放送チャンネルの放送信号の映像／音声信号処理が行われ、所定時間経過後に、予約処理制御プログラム１０２ｃにより予約された放送番組に対応する放送チャンネルの放送信号の映像／音声信号処理が行われるので、予約された放送番組の放送中は、予約された放送番組以外の放送番組の視聴が制限されることとなって、ユーザは予約した放送番組の視聴をより確実に行うことができる。
【００６６】
また、ＣＰＵ１０１による予約解除制御プログラム１０２ｆの実行により、チャンネル切替無効制御プログラム１０２ｄによる無効モード及びチャンネル切替制限プログラムによる制限モードを解除することができ、さらに、ＣＰＵ１０１による予約設定制御プログラム１０２ｂにより、予約処理制御プログラム１０２ｃの実行中において、チャンネル切替無効制御プログラム１０２ｄによる無効モードとチャンネル切替制限プログラムによる制限モードのいずれを実行するかを選択することができるので、ユーザにとって使い勝手の良いテレビジョン放送受像機を提供することができる。
【００６７】
なお、本発明は、上記実施の形態に限定されることなく、本発明の趣旨を逸脱しない範囲において、種々の改良並びに設計の変更を行っても良い。
【００６８】
例えば、本発明は、予約された放送番組の放送開始後数秒間、映像出力部９の表示画面９ａに映像／音声信号処理中の放送番組が予約された放送番組である旨のＯＳＤ表示がされる設計としたが、受像機本体１に、予約された放送番組である旨を示すＬＥＤ（Light Emitting Diode）ランプを設ける設計であっても良い。
【００６９】
また、本発明は、予約解除制御プログラム１０２ｆの実行により、放送番組の予約の解除のみならず、チャンネル切替無効制御プログラム１０２ｄによる無効モード又はチャンネル切替制限制御プログラム１０２ｅによる制限モードの設定も併せて解除される設定としたが、無効モード又は制限モードは別途のプログラムにより解除される設計であっても良い。
【図面の簡単な説明】
【００７０】
【図１】本発明にかかるテレビジョン放送受像機の構成を示す図である。
【図２】本発明にかかるテレビジョン放送受像機の主要な内部構成を示すブロック図である。
【図３】メモリ部に格納された予約情報格納部の予約テーブルを例示した図である。
【図４】予約設定動作処理を示すフローチャートである。
【図５】予約設定制御プログラムの実行において無効モードが選択された場合に行われる予約制御動作処理を示すフローチャートである。
【図６】予約設定制御プログラムの実行において制限モードが選択された場合に行われる予約制御動作処理を示すフローチャートである。
【符号の説明】
【００７１】
１００    テレビジョン放送受像機
２        キー入力部（操作入力部）
４        チューナ（選局処理手段、予約処理手段）
５        復調器（選局処理手段、予約処理手段）
６        デコーダ（選局処理手段、予約処理手段）
８        音声出力部（出力部）
９        映像出力部（出力部）
２０      リモートコントロール装置（操作入力部）
２０ｅ    予約キー（予約手段）
２０ｆ    予約解除キー（無効解除手段、制限解除手段）
１０１    ＣＰＵ（予約手段、選局処理手段、予約処理手段、チャンネル切替無効手  段、無効解除手段、チャンネル切替制限手段、制限解除手段、選択手段）
１０２ａ  選局処理制御プログラム（選局処理手段）
１０２ｂ  予約設定制御プログラム（予約手段、選択手段）
１０２ｃ  予約処理制御プログラム（予約処理手段）
１０２ｄ  チャンネル切替無効制御プログラム（チャンネル切替無効手段）
１０２ｅ  チャンネル切替制限制御プログラム（チャンネル切替制限手段）
１０２ｆ  予約解除制御プログラム（無効解除手段、制限解除手段）
【図１】
2007081660.tif 000003
【図２】
2007081660.tif 000004
【図３】
2007081660.tif 000005
【図４】
2007081660.tif 000006
【図５】
2007081660.tif 000007
【図６】
2007081660.tif 000008